(57)【特許請求の範囲】
【請求項１】
前面板１、背面板３、両側面板２、２、底面板４を備えた箱において、両側面板２、２下端にそれぞれ互いに重ね合わされる長さの底部フラップ８、８が形成され、前記底面板４に連設された差込片５の下端部より適当な高さに、下向き凸状に展示用切込線ｍが形成され、展示時には該展示用切込線ｍに前面板１の下端部を係合させて、前記底部フラップにより形成される底面を背面板側に向かって低く傾斜可能にしたことを特徴とする輸送兼展示箱。
【請求項２】
前記展示用切込線ｍが、１箇所形成されている請求項１記載の輸送兼展示箱。
【請求項３】
前記展示用切込線ｍが、数箇所形成されている請求項１記載の輸送兼展示箱。
【請求項４】
前記展示用切込線ｍが、行方向又は列方向又は行列方向に形成されている請求項３記載の輸送兼展示箱。
【請求項５】
前記差込片５両端部に前記展示用切込線ｍの両端と同じ高さの展示用ロック部ｏ、ｏが形成されている請求項１乃至請求項４記載の輸送兼展示箱。
【請求項６】
前記底部フラップ８、８の前面板１と側面板２、２のつくる角隅部側にロック爪１４、１４が設けられ、前記差込片５の折目ｆの両端部に輸送用ロック部ｎ、ｎが形成されている請求項１乃至請求項５記載の輸送兼展示箱。
【請求項７】
前記背面板３の上端部より適当な高さに表示板用係止片１１が上向き凸状に形成され、差込片７を有する上蓋板６を横断する形で下向き凸状の切離線ｐ及びその両端にそれに連続する折目ｑ、ｑが形成され、前記折目ｑ、ｑにて該上蓋板６を折り曲げ、その上蓋板６は差込片７を表示板用係止片１１に差し込んで表示板とされる請求項１乃至請求項６記載の輸送兼展示箱。
【請求項８】
前記前面板１に水平な開封線ｉが設けられ、両側面板２、２に前記開封線ｉに連続した斜めの切離線ｊ、ｊが設けられている請求項１乃至請求項７記載の輸送兼展示箱。
【発明の詳細な説明】
【０００１】
【発明の属する技術分野】
本発明は輸送及び展示用の紙箱に関するものであり、特に展示の際、箱に傾斜をつけて見栄えを良くし、箱内部に収納される物品のバランスを良くした輸送兼展示箱に関するものである。
【０００２】
【従来の技術】
従来より物品の輸送には包装箱が使用され、店頭で販売する際には展示用の箱として使用される包装箱は各種の構造のものが知られている。展示の際においては箱の上部に表示板をつけたり、箱内に収納された物品を見やすくする等といった工夫が必要とされている。たとえば箱に傾斜をつけて、商品を見やすくするために最初から箱の底部に傾斜のついているもの等があった。しかしながら、最初からそのような傾斜をつけると、物品の収納がしにくかったり収納容積が少なくなったりする不都合があった。
【０００３】
【発明が解決しようとする課題】
最初から傾斜をつけることによって、物品の収納がしにくかったり収納容積が減少化することのないように、輸送中においては通常の箱であって、店頭展示において傾斜をつけることのできるように工夫することを課題とする。
【０００４】
【課題を解決するための手段】
本発明は、前面板１、背面板３、両側面板２、２、底面板４を備えた箱において、両側面板２、２下端にそれぞれ互いに重ね合わされる長さの底部フラップ８、８が形成され、前記底面板４に連設された差込片５の下端部より適当な高さに、下向き凸状に展示用切込線ｍが形成され、展示時には該展示用切込線ｍに前面板１の下端部を係合させて、前記底部フラップにより形成される底面を背面板側に向かって低く傾斜可能にしたことを特徴とする輸送兼展示箱である。
【０００５】
また、本発明は、上記発明の輸送兼展示箱において、前記展示用切込線ｍが、１箇所形成されている輸送兼展示箱である。
【０００６】
また、本発明は、上記発明の輸送兼展示箱において、前記展示用切込線ｍが、数箇所形成されている輸送兼展示箱である。
【０００７】
また、本発明は、上記発明の輸送兼展示箱において、前記展示用切込線ｍが、行方向又は列方向又は行列方向に形成されている輸送兼展示箱である。
【０００８】
また、本発明は、上記発明の輸送兼展示箱において、前記差込片５両端部に前記展示用切込線ｍの両端と同じ高さの展示用ロック部ｏ、ｏが形成されている輸送兼展示箱である。
【０００９】
また、本発明は、上記発明の輸送兼展示箱において、前記底部フラップ８、８の前面板１と側面板２、２のつくる角隅部側にロック爪１４、１４が設けられ、前記差込片５の折目ｆの両端部に輸送用ロック部ｎ、ｎが形成されている輸送兼展示箱である。
【００１０】
また、本発明は、上記発明の輸送兼展示箱において、前記背面板３の上端部より適当な高さに表示板用係止片１１が上向き凸状に形成され、前記上蓋板６を横断する形で下向き凸状の切離線ｐ及びその両端にそれに連続する折目ｑ、ｑが形成され、前記折目ｑ、ｑにて該上蓋板６を折り曲げ、その上蓋板６は差込片７を表示板用係止片１１に差し込んで表示板とされる輸送兼展示箱である。
【００１１】
また、本発明は、上記発明の輸送兼展示箱において、前記前面板１に水平な開封線ｉが設けられ、両側面板２、２に前記開封線ｉに連続した斜めの切離線ｊ、ｊが設けられている輸送兼展示箱である。
【００１２】
【作用】
差込片５の下端部より適当な高さに、下向き凸状に展示用切込線ｍを形成し、展示時には該展示用切込線ｍに前面板１の下端部を係合させて、前記底部フラップにより形成される底面を背面板側に向かって低く傾斜可能にしたことにより、箱内部の物品を見栄えをよくし、他の箱と差別化され、人目を引きつける作用がある。
【００１３】
また、展示用切込線ｍを、行方向、横一列に数箇所設け、展示時に前面板１の下端部を係合させることによって、差込片５の２箇所以上にて前面板１の下端部を水平に保持でき、傾斜させた箱の底部をより安定させる作用がある。
【００１４】
また、展示用切込線ｍを、列方向、縦一列に数箇所設けることによって、傾斜角度を切込線ｍの位置に対応する各種傾斜角度に調節することができる。
【００１５】
また、展示用切込線ｍを、行列方向、横方向と縦方向に数箇所づつ、設けることによって、箱の底部をより安定させ、かつ傾斜角度を調節することができる。尚、展示用切込線ｍは一列、もしくは数列のいずれでもよい。
【００１６】
また、差込片５両端部に展示用切込線ｍの両端と同じ高さの展示用ロック部ｏ、ｏを形成することによって、傾斜させた箱の底部をより安定させる作用がある。
【００１７】
また、底部フラップ８、８の前面板１と側面板２、２のつくる角隅部側にロック爪１４、１４を設け、それぞれ輸送時には差込片５の折目ｆの両端部に形成された輸送用ロック部ｎ、ｎに係合し、展示時には展示用ロック部ｏ、ｏに係合することによって、底部フラップ８、８により形成された底面を固定し、物品の重量に耐えられるよう補強する作用がある。
【００１８】
また、背面板３の上端部より適当な高さに表示板用係止片１１を上向き凸状に形成し、差込片７を有する上蓋板６には下向き凸状の切離線ｐ及びその両端にそれに連続する折目ｑ、ｑを形成し、折目ｑ、ｑにて上蓋板６を折り曲げ、その差込片７を表示板用係止片１１に差し込んで表示板とし、表示板に箱内部の物品の名称、価格等の情報を印刷することにより、箱内部の物品の購買意欲を刺激する作用がある。
【００１９】
また、前面板１に水平な開封線ｉを設け、両側面板２、２に前記開封線ｉに連続した斜めの切離線ｊ、ｊを設けることによって、開封を容易にし、店頭にて展示する際に前面板１及び両側面板２、２の上部を切り離すことができ、箱内部の物品を見やすくすることができる。
【００２０】
【発明の実施の形態】
以下実施の形態により本発明を詳細に説明する。
図１は、本発明の紙箱のブランク図であり、二重開封線ｉの入った前面板１、側面板２、２、及び背面板３が各折目ａ、ａ、ｂを介して連設され、背面板３には更に外側の側面板２に貼着される貼着板９が折目ｃを介して連設されていて、背面板３の上下には更に差込片７のある上蓋板６と輸送用ロック部ｎ、ｎ、展示用ロック部ｏ、ｏの形成された差込片５のある底面板４が、各折目ｅ、ｄを介して連設されている。各側面板２、２にの下部には折目ｈ、ｈを介して底部フラップ８、８がある。
【００２１】
また、差込片５の両側の輸送用ロック部ｎ、ｎは、折目ｆの両端部に切り込み形成され、同じく差込片５の両側の展示用ロック部ｏ、ｏは、一箇所ないし数箇所に形成される。差込片５は係止片１２を備え、該係止片は下向き凸状の切込線ｍにより形成され、該切込線は円弧状もしくは角形状のいずれであってよいが、円弧状であることが望ましく、一箇所もしくは数箇所であってもよい。
【００２２】
また、背面板３に係止片１１を設け、該係止片は上向き凸状に切込線ｋにより形成され、該凸状は円弧状もしくは角形状のいずれであってもよい。
【００２３】
また、上蓋板６には、折り目ｑを介して差込片７が連設され、該上蓋板６の中程に下向き凸状の切離線ｐが形成され、該切離線ｐは断続線状であることが好ましく、その形状は、円弧状もしくは角形状のいずれであってもよい。切離線ｐの両端に連続して水平方向に折目ｑ、ｑが形成される。また、背面板３に必要に応じて窓穴１０を設けてもよい。
【００２４】
以上のような展開状態にあるブランクシートを箱状に組み立てる際には、貼着板９の一側辺を外側の側面板２の内側に貼着して扁平状に折り畳んだものを、立体状に引き起こし、次いで折目ｈ、ｈを利用して底部フラップ８、８を互いに重合するように折込み、引き続いて底面板４を折目ｄにて折込み、同様に折目ｅにて上蓋部６を折り込み、図２に示す本発明運搬兼展示箱を形成し、運搬に際して物品を収納するものである。
【００２５】
そして、店頭にて展示する際には、二重開封線ｉ及び各切離線ｊにて前面板１の上部および側面板ｈ、ｈの上部を切り離し、上蓋部６を開いて下向き凸状の切離線ｐの繋ぎ部分を切り離し、折目ｑにて上蓋板６を２つに折り、差込片７を上向き凸状の係止片１１に差し込んだ前面側の上蓋板により表示板を形成する。尚、前記表示板には適宜にその物品の商品情報が印刷表示されている。
【００２６】
底部の差込片５を引き出し、係止片１２を前面板の下端部に係合させ、もしくは下端部に必要に応じて設けた切欠部ｒに係合させ、第二ロック部ｏ、ｏを底部フラップのロック爪１４、１４に係合させることにより、底面板を固定するものである。結果として後方に傾斜した、表示板付き展示箱が形成される。
【００２７】
【発明の効果】
本発明は以上の構成であるから、下記に示す如き効果がある。即ち、最初から箱の底面に傾斜をつけることなく、物品の収納が容易であり、収納容積が減少化することがなく、輸送中においては通常の箱であって、店頭展示において容易に傾斜をつけることができる。
【図面の簡単な説明】
【図１】本発明の輸送兼展示箱のブランク図。
【図２】本発明の輸送兼展示箱の組立完成斜視図。
【図３】本発明の輸送兼展示箱の展示用組立完成斜視図。
【符号の説明】
１‥‥前面板  ２‥‥側面板  ３‥‥背面板  ４‥‥底面板  ５‥‥差込片
６‥‥上蓋板  ７‥‥差込片  ８‥‥底部フラップ  ９‥‥貼着板
１０‥‥窓穴  １１‥‥係止片  １２‥‥係止片  １３‥‥凸部
１４‥‥ロック爪
ａ‥‥折目  ｂ‥‥折目  ｃ‥‥折目  ｄ‥‥折目  ｅ‥‥折目  ｆ‥‥折目
ｇ‥‥折目  ｈ‥‥折目  ｉ‥‥開封線  ｊ‥‥切離線  ｋ‥‥切込線
ｍ‥‥切込線  ｎ‥‥切込状ロック部  ｏ‥‥展示用ロック部  ｐ‥‥切離線
ｑ‥‥折目  ｒ‥‥切欠部  ｓ‥‥切込線
【図１】
0003890693.tif 000002
【図２】
0003890693.tif 000003
【図３】
0003890693.tif 000004